(57)【要約】【課題】収容機器の視認性及び通気性を十分に確保するとともに、部品の種類を増大させずに電磁波をシールドする機能を確実に発揮する。【解決手段】導電性ベース板上に複数の導電性支柱１２が立設され、複数の導電性桟が支柱間に架設されかつ支柱とともに骨格１４を構成する。導電性ドア１６が骨格周面の開口部のうちドア用開口部１４ａを開放可能に塞ぎ、導電性壁部材１７がドア用開口部を除く骨格の周面の開口部１４ｂを塞ぎ、導電性天井部材が骨格の上面の開口部を塞ぐ。ドアは、導電性ドア用フレーム１６ａと、周縁がドア用フレームに固定された導電性ドア用網１６ｂとを有する。壁部材は、導電性壁用フレーム１７ａと、周縁が壁用フレームに固定された導電性壁用網１７ｂとを有する。天井部材は、導電性天井用フレームと、周縁が天井用フレームに固定された導電性天井用網とを有する。【選択図】  図１
2004335818.tif 000002
【特許請求の範囲】
【請求項１】
導電性を有するベース板（１１）の上に立設された導電性を有する３本以上の支柱（１２）と、導電性を有し前記支柱（１２）間に架設されかつ前記支柱（１２）とともに骨格（１４）を構成する３本以上の桟（１３）と、導電性を有し前記骨格（１４）周面の開口部のうちドア用開口部（１４ａ）を開放可能に塞ぐドア（１６）と、導電性を有し前記ドア用開口部（１４ａ）を除く前記骨格（１４）の周面の開口部（１４ｂ）を塞ぐ壁部材（１７）と、導電性を有し前記骨格（１４）の上面の開口部（１４ｃ）を塞ぐ天井部材（１８）とを備えた電磁波シールドボックスにおいて、
前記ドア（１６）が、導電性部材により枠状に形成されたドア用フレーム（１６ａ）と、導電性線材により形成され周縁が前記ドア用フレーム（１６ａ）に固定されたドア用網（１６ｂ）とを有し、
前記壁部材（１７）が、導電性帯板材により枠状に形成された壁用フレーム（１７ａ）と、導電性線材により形成され周縁が前記壁用フレーム（１７ａ）に固定された壁用網（１７ｂ）とを有し、
前記天井部材（１８）が、導電性帯板材により枠状に形成された天井用フレーム（１８ａ）と、導電性線材により形成され周縁が前記天井用フレーム（１８ａ）に固定された天井用網（１８ｂ）とを有する
ことを特徴とする電磁波シールドボックス。
【請求項２】
壁用フレーム（１７ａ）及び天井用フレーム（１８ａ）が同形同大の単一又は複数の導電性フレーム（３２）により構成され、各導電性フレーム（３２）に網（１７ｂ，１８ｂ）が固定された請求項１記載の電磁波シールドボックス。
【請求項３】
ドア用フレーム（６６）が、導電性部材によりドア用開口部（１４ａ）に相応する形状に形成され前記ドア用開口部（１４ａ）を形成する一方の支柱（５２）に枢着されかつ他方の支柱（５２）に離脱可能に当接するドア用枠体（６７）と、導電性帯板材により枠状に形成され前記ドア用枠体（６７）に取外し可能に取付けられる複数の導電性フレーム（３２）とからなり、
前記導電性フレーム（３２）にドア用網（６６ａ）が固定された請求項１記載の電磁波シールドボックス。
【請求項４】
壁用フレーム（１７）及び天井用フレーム（１８）が骨格（１４）の内側から支柱（１２）及び桟（１３）に取外し可能に取付けられた請求項１又は２記載の電磁波シールドボックス。
【請求項５】
導電性フレーム（３２）が、長手方向に延びる第１凹溝（３２ｂ）を有し両端が斜め４５度にカットされた４本の台形状の帯板部材（３２ａ）と、一片が前記帯板部材（３２ａ）の一端の第１凹溝（３２ｂ）に挿入され他片が前記帯板部材（３２ａ）に隣接する帯板部材（３２ａ）の第１凹溝（３２ｂ）に挿入されてこれらの帯板部材（３２ａ）を四角枠状に連結するＬ字状のフレーム用連結具（３２ｃ）とを備えた請求項２又は３記載の電磁波シールドボックス。
【請求項６】
導電性フレーム（３２）の長手方向に沿ってリング状の第２凹溝（３２ｄ）が形成され、この第２凹溝（３２ｄ）に網（１７ｂ，１８ｂ）の周縁を挿入し更に紐状の弾性部材（３２ｅ）を挿着することにより、前記導電性フレーム（３２）に網（１７ｂ，１８ｂ）が固定された請求項５記載の電磁波シールドボックス。
【請求項７】
導電性フレーム（３２）の第１凹溝（３２ｂ）のうちフレーム用連結具（３２ｃ）の挿着部分以外に挿着されるフラットバー（４１）を更に備え、前記第１凹溝（３２ｂ）に網（４７ｂ，４８ｂ）の周縁を挿入し更に前記フレーム用連結具（３２ｃ）及び前記フラットバー（４１）を挿着することにより、前記導電性フレーム（３２）に網（４７ｂ，４８ｂ）が固定された請求項５記載の電磁波シールドボックス。
【請求項８】
支柱（１２）と桟（１３）、及び桟（１３）と桟（１３）が骨組用連結具（２９）により離脱可能に連結された請求項１記載の電磁波シールドボックス。
【請求項９】
ベース板（１１）、天井部材又は壁部材に、冷却エアを流すための通孔（１１ａ）が形成され、前記通孔（１１ａ）にこの通孔に相応する形状の金属製多孔部材（２２）が挿入され、前記ベース板（１１）、天井部材又は壁部材の通孔（１１ａ）周縁下面と前記金属製多孔部材（２２）の周縁下面とが導電性シート（２４）により電気的に接続された請求項１記載の電磁波シールドボックス。
【請求項１０】
金属製多孔部材（２２）がパンチングメタル又は金属製ハニカム構造体である請求項９記載の電磁波シールドボックス。
【発明の詳細な説明】
【０００１】
【発明の属する技術分野】
本発明は、電磁波をシールドするためのボックスに関する。更に詳しくは、測定機器や検査機器等に悪影響を与える電磁波が侵入するのを阻止するため、或いは測定機器や検査機器等が発生する電磁波が漏洩するのを阻止するために用いられるボックスに関するものである。
【０００２】
【従来の技術】
従来、被取付用筐体上面に上部シールドアダプタが取付けられ、被取付用筐体下部に下部シールドアダプタが取付けられ、上部シールドアダプタに上面カバーが被取付用筐体上面を覆うように電気的に接続した状態で取付けられ、上部シールドアダプタ及び下部シールドアダプタに一対の側面カバーが被取付用筐体の一対の側面を覆うように電気的に接続した状態でそれぞれ取付けられた電磁シールド装置が開示されている（例えば、特許文献１参照）。この電磁シールド装置では、上部シールドアダプタに前面ドアが被取付用筐体前面を覆うように電気的に接続した状態で開閉可能に取付けられ、下部シールドアダプタに後面ドアが被取付用筐体後面を覆うように電気的に接続した状態で開閉可能に取付けられる。またアダプタ又は被取付用筐体の下部に底面カバーが電気的に接続した状態で取付けられ、上面カバー又は底面カバーが被取付用筐体の導入ケーブルを導入可能に形成される。
【０００３】
このように構成された電磁シールド装置では、被取付用筐体の外周６面が直接又は筐体を介して相互に電気的に接続されたドア及びカバーで覆われるので、被取付用筐体である電子装置に対して高度なシールド効果を付与できる。即ち、この電子装置が放射する不要電磁波及び電子装置へ到来する外来電磁波に対して十分な電磁シールド効果を有する。また運用中の電子装置に電磁シールド装置を容易に取付けることができるとともに、取付け後の保守性が良好であって美観にも優れるという効果を奏するようになっている。
【０００４】
【特許文献１】
特開平７−１３１１７７号公報
【０００５】
【発明が解決しようとする課題】
しかし、上記特許文献１に示された電磁シールド装置では、前面ドア、後面ドア及び上面カバーが内部を視認可能であって通気性を有するエキスパンドメタル等により形成されているけれども、側面カバーが内部を視認不能であって通気性の無い金属パネルにより形成されているため、内部の電子装置の視認性及び通気性を十分に確保できない不具合があった。
また、上記特許文献１に示された電磁シールド装置では、被取付用筐体にアダプタを取付けなければならず、被取付用筐体の形状が変わると、アダプタの形状も筐体の形状に合わせて変えなければならず、筐体の種類毎にアダプタを作製する必要があり、部品の種類が増大する不具合があった。
更に、上記特許文献１に示された電磁シールド装置では、側面カバーを被取付用筐体の外側方から取付け、上面カバーを被取付用筐体の上方から取付けるため、このシールド装置を壁や天井に接近して設置するときに、側面カバー及び上面カバーの組付作業性が困難になる問題点があった。
【０００６】
本発明の第１の目的は、収容機器の視認性及び通気性を十分に確保できるとともに、部品の種類を殆ど増大させずに電磁波をシールドする機能を確実に発揮できる、電磁波シールドボックスを提供することにある。
本発明の第２の目的は、設置場所が壁や天井に接近した状態であっても容易に設置できる、電磁波シールドボックスを提供することにある。
本発明の第３の目的は、壁部材及び天井部材、或いはこれらに加えてドアとして同形同大の導電性フレームを用いることにより、部品の種類を更に低減できる、電磁波シールドボックスを提供することにある。
本発明の第４の目的は、導電性フレームの見栄えを損なわずに比較的容易に組立てることができるとともに、導電性フレームに網を確実にかつ容易に固定できる、電磁波シールドボックスを提供することにある。
本発明の第５の目的は、支柱や桟の容易に連結できるとともに、堅牢な骨格を構築でき、更に比較的簡単な構造でベース板等及び金属製多孔部材の電気的接続を確保しつつ冷却エアを導入できる、電磁波シールドボックスを提供することにある。
【０００７】
【課題を解決するための手段】
請求項１に係る発明は、図１、図２及び図７に示すように、導電性を有するベース板１１の上に立設された導電性を有する３本以上の支柱１２と、導電性を有し上記支柱１２間に架設されかつ上記支柱１２とともに骨格を構成する３本以上の桟１３と、導電性を有し骨格１４周面の開口部のうちドア用開口部１４ａを開放可能に塞ぐドア１６と、導電性を有しドア用開口部１４ａを除く骨格１４の周面の開口部１４ｂを塞ぐ壁部材１７と、導電性を有し骨格１４の上面の開口部１４ｃを塞ぐ天井部材１８とを備えた電磁波シールドボックスの改良である。
その特徴ある構成は、ドア１６が、導電性部材により枠状に形成されたドア用フレーム１６ａと、導電性線材により形成され周縁がドア用フレーム１６ａに固定されたドア用網１６ｂとを有し、壁部材１７が、導電性帯板材により枠状に形成された壁用フレーム１７ａと、導電性線材により形成され周縁が壁用フレーム１７ａに固定された壁用網１７ｂとを有し、天井部材１８が、導電性帯板材により枠状に形成された天井用フレーム１８ａと、導電性線材により形成され周縁が天井用フレーム１８ａに固定された天井用網１８ｂとを有するところにある。
【０００８】
この請求項１に記載された電磁波シールドボックスでは、壁用網１７ｂやドア用網１６ｂを通して少なくとも三方からボックス１０内の収容機器１９の様子を視認できるとともに、収容機器１９の発熱量が多くても、その熱を通気性の極めて良好な天井用網１８ｂ、壁用網１７ｂ及びドア用網１６ｂを通して放散できる。また支柱１２や桟１３を組んで形成された骨格１４に壁部材１７等を取付けるため、支柱１２の間隔を一定に保つことにより、収容機器１９の形状や大きさが変わっても、支柱１２や桟１３の形状を殆ど変えずに支柱１２や桟１３の本数を増減するだけで、即ち部品の種類を殆ど増大させずに部品の数量を増減するだけで、電磁波をシールドする機能を確実に発揮できる。
【０００９】
請求項２に係る発明は、請求項１に係る発明であって、更に図１及び図２に示すように、壁用フレーム１７ａ及び天井用フレーム１８ａが同形同大の単一又は複数の導電性フレーム３２により構成され、各導電性フレーム３２に網１７ｂ，１８ｂが固定されたことを特徴とする。
この請求項２に記載された電磁波シールドボックスでは、同形同大の導電性フレーム３２、例えば正方形の導電性フレーム３２を１枚又は２枚以上用いて壁用フレーム１７ａ及び天井用フレーム１８ａを構成することにより、フレームの種類を低減できる。
【００１０】
請求項３に係る発明は、請求項１に係る発明であって、更に図２０に示すように、ドア用フレーム６６が、導電性部材によりドア用開口部１４ａに相応する形状に形成されドア用開口部１４ａを形成する一方の支柱５２に枢着されかつ他方の支柱５２に離脱可能に当接するドア用枠体６７と、導電性帯板材により枠状に形成されドア用枠体６７に取外し可能に取付けられる複数の導電性フレーム３２とからなり、導電性フレーム３２にドア用網６６ａが固定されたことを特徴とする。
この請求項３に記載された電磁波シールドボックスでは、同形同大の導電性フレーム３２、例えば正方形の導電性フレーム３２を２枚以上用いてドア用フレーム６７を構成することにより、ドア用フレーム６７を壁用フレーム１７ａ及び天井用フレームと共通化できる。
【００１１】
請求項４に係る発明は、請求項１又は２に係る発明であって、更に図１及び図２に示すように、壁用フレーム１７ａ及び天井用フレーム１８ａが骨格１４の内側から支柱１２及び桟１３に取外し可能に取付けられたことを特徴とする。
この請求項４に記載された電磁波シールドボックスでは、骨格１４周面の開口部のうちドア用開口部１４ａをボックス１０内からドア１６により塞ぎ、骨格１４周面の開口部のうちドア用開口部１４ａ以外の開口部１４ｂをボックス１０内から壁部材１７により塞ぎ、骨格１４上面の開口部１４ｃをボックス１０内から天井部材１８により塞ぐので、ボックス１０の設置場所が部屋の壁や天井に接近した状態であっても容易に設置できる。
【００１２】
請求項５に係る発明は、請求項２又は３に係る発明であって、更に図４〜図６に示すように、導電性フレーム３２が、長手方向に延びる第１凹溝３２ｂを有し両端が斜め４５度にカットされた４本の台形状の帯板部材３２ａと、一片が帯板部材３２ａの一端の第１凹溝３２ｂに挿入され他片が上記帯板部材３２ａに隣接する帯板部材３２ａの第１凹溝３２ｂに挿入されてこれらの帯板部材３２ａを四角枠状に連結するＬ字状のフレーム用連結具３２ｃとを備えたことを特徴とする。
この請求項５に記載された電磁波シールドボックスでは、導電性フレーム３２の見栄えを損なわずに導電性フレーム３２を比較的容易に組立てることができる。
【００１３】
請求項６に係る発明は、請求項５に係る発明であって、更に図４〜図６に示すように、導電性フレーム３２の長手方向に沿ってリング状の第２凹溝３２ｄが形成され、この第２凹溝３２ｄに網１７ｂ，１８ｂの周縁を挿入し更に紐状の弾性部材３２ｅを挿着することにより、導電性フレーム３２に網１７ｂ，１８ｂが固定されたことを特徴とする。
この請求項６に記載された電磁波シールドボックスでは、比較的細くかつ柔軟性を有する導電性線材を用いた網１７ｂ，１８ｂであっても、この網１７ｂ，１８ｂを導電性フレーム３２に確実にかつ極めて容易に固定できる。
【００１４】
請求項７に係る発明は、請求項５に係る発明であって、更に図１６〜図１８に示すように、導電性フレーム３２の第１凹溝３２ｂのうちフレーム用連結具３２ｃの挿着部分以外に挿着されるフラットバー４１を更に備え、第１凹溝３２ｂに網４７ｂ，４８ｂの周縁を挿入し更にフレーム用連結具３２ｃ及びフラットバー４１を挿着することにより、導電性フレーム３２に網４７ｂ，４８ｂが固定されたことを特徴とする。
この請求項７に記載された電磁波シールドボックスでは、比較的太くかつ柔軟性に乏しい導電性線材を用いた網４７ｂ，４８ｂであっても、この網４７ｂ，４８ｂを導電性フレーム３２に確実にかつ比較的容易に固定できる。
【００１５】
請求項８に係る発明は、請求項１に係る発明であって、更に図１０〜図１５に示すように、支柱１２と桟１３、及び桟１３と桟１３が骨組用連結具２９により離脱可能に連結されたことを特徴とする。
この請求項８に記載された電磁波シールドボックスでは、支柱１２や桟１３を比較的容易に連結できるとともに、堅牢な骨格１４を構築できる。
【００１６】
請求項９に係る発明は、請求項１に係る発明であって、更に図７〜図９に示すように、ベース板１１、天井板又は壁部材に、冷却エアを流すための通孔１１ａが形成され、通孔１１ａにこの通孔に相応する形状の金属製多孔部材２２が挿入され、ベース板１１、天井板又は壁部材の通孔１１ａ周縁下面と金属製多孔部材２２の周縁下面とが導電性シート２４により電気的に接続されたことを特徴とする。
この請求項９に記載された電磁波シールドボックスでは、ボックス１０内に冷却エアを速やかに導入できるとともに、比較的簡単な構造でベース板１１、天井板又は壁部材と金属製多孔部材２２を電気的に接続できる。
また上記金属製多孔部材２２はパンチングメタル又は金属製ハニカム構造体であることが好ましい。
【００１７】
【発明の実施の形態】
次に本発明の第１の実施の形態を図面に基づいて説明する。
図１〜図３及び図７に示すように、電磁波シールドボックス１０は、導電性を有するベース板１１上に立設された導電性を有する４本の同形同大の支柱１２と、導電性を有し上記支柱１２間に架設されかつ上記支柱１２とともに骨格１４を構成する上下４本ずつ合計８本の同形同大の桟１３と、導電性を有し骨格１４周面の開口部のうちドア用開口部１４ａを開放可能に塞ぐ１枚のドア１６と、導電性を有しドア用開口部１４ａを除く骨格１４の周面の開口部１４ｂを塞ぐ３枚の壁部材１７と、導電性を有し骨格１４の上面の開口部１４ｃを塞ぐ１枚の天井部材１８とを備える。ベース板１１は厚さ１．５〜３．０ｍｍのステンレス鋼板やめっき鋼板等により形成され（図７）、支柱１２及び桟１３はアルミ合金、スチール、ステンレス鋼等の押出し成形又は引抜き成形により形成される（図１〜図３）。この電磁波シールドボックス１０内に収容される機器１９（図２、図３及び図７）は、この実施の形態では、コンピュータ室内に設置されたサーバコンピュータ（情報を記憶・保管するとともに、この情報をインターネットを通じて世界に発信するコンピュータ）である。なお、収容機器としては、コンピュータ室内に設置された上記サーバコンピュータ以外に、会議室又はその他の部屋に設置されたコンピュータや測定機器や検査機器等が挙げられる。また、電磁波シールドボックスを世知する場所は、コンピュータ室ではなく、病院等の検査室、簡易実験用シールドルーム、工場の検査ラインに設置してもよい。
【００１８】
図７〜図９に示すように、ベース板１１は正方形状に形成され、コンクリート製床２０から所定の距離だけあけて上方に設けられたグレーチング２１上に敷設される。またベース板１１の中央には冷却エアを流すための正方形状の通孔１１ａが形成される。この通孔１１ａには、通孔に相応する正方形状に形成されかつ多数の孔２２ａが所定の間隔をあけて形成された金属製多孔部材２２、この実施の形態ではパンチングメタルが挿入される。このパンチングメタル２２は厚さ１．５〜３．０ｍｍのステンレス鋼板やめっき鋼板等により形成される。なお、金属製多孔部材としては、パンチングメタルの他に金属製ハニカム構造体を用いてもよい。
【００１９】
またグレーチング２１とベース板１１の間には、ベース板１１と同一の外形を有しかつ電気絶縁性を有する合板２３が介装される（図７〜図９）。この合板２３の中央には、上記通孔１１ａに対向してこの通孔より僅かに小さい正方形状の第１透孔２３ａが形成される（図８及び図９）。合板２３の第１透孔２３ａの周縁上面には可撓性を有する四角枠状の導電性シート２４が載せられ、この導電性シート２４上にベース板１１の通孔１１ａの周縁下面とパンチングメタル２２の周縁下面が載るように構成される（図８）。更にグレーチング２１には合板２３の第１透孔２３ａに対向して正方形状の第２透孔２１ａが形成され、この第２透孔２１ａには冷却エアをボックス１０内に導入するためのダクト２６の一端が挿着される（図７及び図８）。なお、金属製多孔部材を挿入する通孔は、ベース板ではなく、天井部材又は壁部材に形成してもよい。
【００２０】
一方、支柱１２及び桟１３はアルミ合金、スチール、ステンレス鋼等の押出し成形又は引抜き成形により形成され、支柱１２の断面形状と桟１３の断面形状は同一に形成される（図１０〜図１５）。また支柱１２の長さは、この実施の形態では、桟１３の長さの約２倍に形成される（図２及び図３）。例えば、桟１３の長さを約１ｍとすると、支柱１２の長さは約２ｍに形成される。支柱１２は四角筒の１つのコーナを略Ｗ字状にカットした形状に形成される（図１０〜図１５）。このコーナを形成する一対の面のうちカットされずに残った一対の連結具取付面１２ｃ，１２ｃには、支柱１２の長手方向に延びる一対の第１支柱用Ｔ溝１２ａ，１２ａがそれぞれ形成される。
【００２１】
また略Ｗ字状にカットされた面であって上記一対の第１支柱用Ｔ溝１２ａ，１２ａが形成された面に隣接する一対のフレーム取付面１２ｄ，１２ｄには、支柱１２の長手方向に延びる一対の第２支柱用Ｔ溝１２ｂ，１２ｂがそれぞれ形成される。桟１３は上記支柱１２と同様に、四角筒の１つのコーナを略Ｗ字状にカットした形状であって一対の連結具取付面１３ｃ，１３ｃ及び一対のフレーム取付面１３ｄ，１３ｄを有する形状に形成され、一対の第１支柱用Ｔ溝１２ａ，１２ａと同一形状の一対の第１桟用Ｔ溝１３ａ，１３ａが一対の連結具取付面１３ｃ，１３ｃにそれぞれ形成され、一対の第２支柱用Ｔ溝１２ｂ，１２ｂと同一形状の一対の第２桟用Ｔ溝１３ｂ，１３ｂが一対のフレーム取付面１３ｄ，１３ｄにそれぞれ形成される。第１支柱用Ｔ溝１２ａ及び第１桟用Ｔ溝１２ｂには呼び径の比較的大きな六角ナット２７が摺動可能に挿入され（図１２及び図１４）、第２支柱用Ｔ溝１２ｂ及び第２桟用Ｔ溝１３ｂには呼び径の比較的小さな六角ボルト２８の頭部が摺動可能に挿入される（図１）。
【００２２】
支柱１２と桟１３は、第１支柱用Ｔ溝１２ａと、第１桟用Ｔ溝１３ａと、略Ｌ字状の骨組用連結具２９と、第１支柱用Ｔ溝１２ａ及び第１桟用Ｔ溝１３ａに摺動可能に挿入される呼び径の比較的大きな六角ナット２７と、このナット２７に螺合される六角穴付ボルト３０とを用いて離脱可能に互いに連結される（図１２及び図１４）。骨組用連結具２９はアルミダイカストにより形成されるか、或いはアルミ合金の押出し成形又は引抜き成形後に所定の幅で切断することにより形成される。また骨組用連結具２９の両端には上記呼び径の比較的大きな六角穴付ボルト３０のねじ部を挿通するための一対の挿通孔２９ａ，２９ａがそれぞれ形成される。更に桟１３と桟１３は、第１桟用Ｔ溝１３ａと、略Ｌ字状の骨組用連結具２９と、第１桟用Ｔ溝１３ａに摺動可能に挿入される呼び径の比較的大きな六角ナット２７と、このナット２７に螺合される六角穴付ナット３０とを用いて離脱可能に互いに連結される（図１３及び図１５）。なお、上記呼び径の比較的小さな六角ボルト２８には呼び径の比較的小さな六角ナット３１が螺合される（図１）。
【００２３】
一方、壁部材１７は、導電性帯板材により枠状に形成された壁用フレーム１７ａと、導電性線材により形成され周縁が壁用フレーム１７ａに固定された壁用網１７ｂとを有する（図１〜図３）。また天井部材１８は、導電性帯板材により枠状に形成された天井用フレーム１８ａと、導電性線材により形成され周縁が天井用フレーム１８ａに固定された天井用網１８ｂとを有する（図２及び図３）。上記壁用フレーム１７ａ及び天井用フレーム１８ａは同形同大の単一又は複数の導電性フレーム３２により構成され、各導電性フレーム３２に網１７ｂ，１８ｂが固定される（図２〜図４）。即ち、壁用フレーム１７ａは２つの導電性フレーム３２により構成され、各導電性フレーム３２，３２に壁用網１７ｂ，１７ｂがそれぞれ固定される。また天井用フレーム１８は単一の導電性フレーム３２により構成され、この導電性フレーム３２に天井用網１８ｂが固定される。なお、壁用網１７ｂ及び天井用網１８ｂは比較的細くかつ柔軟性を有する導電性線材を用いて形成される。
【００２４】
上記導電性フレーム３２は、図４〜図６に示すように、長手方向に延びる第１凹溝３２ｂを有し両端が斜め４５度にカットされかつ桟１３と略同一の長さを有する４本の台形状の帯板部材３２ａと、一片が帯板部材３２ａの一端の第１凹溝３２ｂに挿入され他片が上記帯板部材３２ａに隣接する帯板部材３２ａの第１凹溝３２ｂに挿入されてこれらの帯板部材３２ａを正方形の枠状に連結するＬ字状のフレーム用連結具３２ｃと、フレーム用連結具３２ｃに挿通され帯板部材３２ａに螺合される皿ねじ３２ｆとを有する。上記４本の帯板部材３２ａがフレーム用連結具３２ｃ及び皿ねじ３２ｆを用いて連結されたときに、上記第１凹溝３２ｂはリング状に連なるように構成される。また導電性フレーム３２には、上記第１凹溝３２ｂが形成された面と同一面であって第１凹溝３２ｂより内側にリング状の第２凹溝３２ｄが形成される。この第２凹溝３２ｄには網１７ｂ，１８ｂの周縁及び紐状の弾性部材３２ｅを挿着可能に構成される。
【００２５】
なお、上記帯板部材３２ａはアルミ合金、スチール、ステンレス鋼等の押出し成形又は引抜き成形により形成され、フレーム用連結具３２ｃはアルミダイカストにより形成される。また導電性フレーム３２は骨格１４の内側から、即ちボックス１０内から支柱１２及び桟１３に取外し可能に取付けられる。更にドア用開口部１４ａに対向する背面の開口部１４ｂの下部には、アルミ合金板又はステンレス鋼板等により形成された導電性板３３が固定される（図３）。この導電性板３３の外面には電源フィルタ及び信号線フィルタが収容されたフィルタケース３３ａが取付けられ、電源ケーブル３３ｂ及び信号ケーブル３３ｃはこのフィルタケース３３ａ内の電源フィルタ及び信号線フィルタにそれぞれ接続された後に導電性板３３を貫通してサーバコンピュータ１９に接続される。
【００２６】
図１及び図２に戻って、ドア１６は、導電性部材により枠状に形成されたドア用フレーム１６ａと、導電性線材により形成され周縁がドア用フレーム１６ａに固定されたドア用網１６ｂとを有する。ドア用フレーム１６ａは、長手方向に延びるドア用Ｔ溝１６ｅを有し両端が斜め４５度にカットされかつ支柱１２より僅かに短い長さを有する２本の鉛直ドア部材１６ｃと、長手方向に延びるドア用Ｔ溝１６ｅを有し両端が斜め４５度にカットされかつ桟１３より僅かに短い長さを有する２本の水平ドア部材１６ｄと、これらの鉛直ドア部材１６ｃと水平ドア部材１６ｄとを枠状に連結するＬ字状のドア用連結具（図示せず）とを有する。なお、上記鉛直ドア部材１６ｃ及び水平ドア部材１６ｄはアルミ合金、スチール、ステンレス鋼等の押出し成形又は引抜き成形により形成され、ドア用連結具はアルミダイカストにより形成される。
【００２７】
ドア用フレーム１６ａを構成する鉛直ドア部材１６ｃ及び水平ドア部材１６ｄの断面形状は互いに同一形状であって支柱１２及び桟１３の断面形状より小さく形成される。ドア用Ｔ溝１６ｅは第１支柱用Ｔ溝１２ａ及び第１桟用Ｔ溝１３ａと同一に形成され、ドア用連結具は骨格用連結具２９と同一に形成される。また上記２本の鉛直ドア部材１６ｃ，１６ｃと２本の水平ドア部材１６ｄ，１６ｄがドア用連結具により連結されたときに、上記ドア用Ｔ溝１６ｅはドア用フレーム１６ａの枠内周面にリング状に連なるように構成される。更にドア用フレーム１６ａには、上記ドア用Ｔ溝１６ｅが形成された面に隣接する面であってボックス１０内側に面するリング状のドア用凹溝１６ｆが形成され、このドア用凹溝１６ｆには、ドア用網１６ｂの周縁及び紐状のドア用弾性部材１６ｇを挿着可能に構成される。上記ドア用凹溝１６ｆは導電性フレーム３２の第２凹溝３２ｄと同一形状に形成され、上記ドア用弾性部材１６ｇは導電性フレーム３２の弾性部材３２ｅと同じ材質で同一太さに形成される。
【００２８】
なお、図２の符号１６ｈは一対の鉛直ドア部材１６ｃ，１６ｃの中央に架設されたドア用桟であり、符号１６ｉは取っ手である。また図１の符号３４はドア１６を支柱１２に取付けるためのヒンジであり、符号３６はヒンジ３４を支柱１２及びドア１６に取付けるためのタッピングスクリューである。更に符号３７はドア１６を閉じたときにドア用フレーム１６ａを支柱１２及び桟１３に密着させるための可撓性を有する導電性パッキングである。
【００２９】
このように構成された電磁波シールドボックス１０の組立手順を説明する。
予め２４個の骨格用連結具２９の挿通孔２９ａに六角穴付ボルト３０をそれぞれ挿通し、これらのボルト３０の先端に六角ナット２７をそれぞれ軽くねじ込んで仮組みしておく。また帯板部材３２ａ、フレーム用連結具３２ｃ及び皿ねじ３２ｆを用いて６つの導電性フレーム３２を作製し、これらの導電性フレーム３２に網１７ｂ，１８ｂをそれぞれ固定しておく（図４〜図６）。このとき導電性フレーム３２の台形状の帯板部材３２ａの第１凹溝３２ｂにフレーム用連結具３２ｃの一片を挿入し、フレーム用連結具３２ｃの他片を上記帯板部材３２ａに隣接する帯板部材３２ａの第１凹溝３２ｂに挿入して、帯板部材３２ａを四角枠状に連結したので、導電性フレーム３２の見栄えを損うことなく比較的容易に導電性フレーム３２を組立てることができる。また導電性フレーム３２の第２凹溝３２ｄに網１７ｂ，１８ｂの周縁を挿入した後に、紐状の弾性部材３２ｅを挿着するので、比較的細くかつ柔軟性を有する導電性線材を用いた網１７ｂ，１８ｂであっても、この網１７ｂ，１８ｂを導電性フレーム３２に確実にかつ極めて容易に固定できる。更に鉛直ドア部材１６ｃ、水平ドア部材１６ｄ、ドア用連結具及びドア用桟１６ｈを用いて単一のドア用フレーム１６ａを作製し、このドア用フレーム１６ａにドア用網１６ｂを固定しておく（図１及び図２）。なお、ドア用フレーム１６ａにはドア用開口部１４ａを形成する支柱１２及び桟１３に対向して導電性パッキング３７を接着しておく。
【００３０】
先ずダクト２６の一端が挿着されたグレーチング２１上に、第１透孔２３ａを第２透孔２１ａに一致させて合板２３を載せた後に、導電性シート２４を第１透孔２３ａの周縁上面に接着する（図７〜図９）。この状態で通孔１１ａの中心を第１透孔２３ａの中心に一致させてベース板１１を合板２３上に載せた後に、通孔１１ａにパンチングメタル２２を挿入する。このとき導電性シート２４上にベース板１１の通孔１１ａの周縁下面とパンチングメタル２２の周縁下面が載るので、この導電性シート２４によりベース板１１とパンチングメタル２２とが電気的に接続される。この結果、ボックス１０の電磁波シールド機能は損なわれない。
【００３１】
次いで上記ベース板１１上に４本の桟１３を正方形の枠状になるように置く。この状態で骨格用連結具２９に仮組みされた一対の六角ナット２７，２７のうち一方の六角ナット２７を桟１３の第１桟用Ｔ溝１３ａに挿入し、他方の六角ナット２７を上記桟１３に隣接する桟の第１桟用Ｔ溝１３ａに挿入して、上記骨格用連結具２９に仮組みされた六角穴付ボルト３０を締め付ける（図１０及び図１３）。これにより上記４本の桟１３にて形成された正方形の１つのコーナ部が骨格用連結具２９により連結される。これと同様にして上記４本の桟１３にて形成された正方形の他の３つのコーナ部を骨格用連結具２９により連結する。なお、これらの桟１３の第２桟用Ｔ溝１３ｂには連結前に２本ずつ六角ボルト２８の頭部を挿入しておく。
【００３２】
次に支柱１２が上記４本の桟１３により形成された正方形の１つのコーナ部に位置するように支柱１２をベース板１１上に立てる。この状態で骨格用連結具２９に仮組みされた一対の六角ナット２７，２７のうち一方の六角ナット２７を桟１３の第１桟用Ｔ溝１３ａに挿入し、他方の六角ナット２７を支柱１２の一方の第１支柱用Ｔ溝１２ａに挿入して、上記骨格用連結具２９に仮組みされた六角穴付ボルト３０を締め付ける（図１０及び図１２）。また別の骨格用連結具２９に仮組みされた一対の六角ナット２７，２７のうち一方の六角ナット２７を上記桟１３に隣接する桟１３の第１桟用Ｔ溝１３ａに挿入し、他方の六角ナット２７を支柱１２の他方の第１支柱用Ｔ溝１２ａに挿入して、上記骨格用連結具２９に仮組みされた六角穴付ボルト３０を締め付ける。これにより支柱１２が４本の桟１３にて形成された正方形の１つのコーナ部に２個の骨格用連結具２９により立設した状態に固定される（図２、図３及び図１０）。これと同様にして上記４本の桟１３にて形成された正方形の他の３つのコーナ部に３本の支柱１２を立て、これらの支柱１２を骨格用連結具２９により立設した状態で固定する。
【００３３】
この状態で４本の支柱１２の各第２支柱用Ｔ溝１２ｂに４本ずつ六角ボルト２８の頭部を挿入する。そして上記と同様に骨格用連結具２９を用いて、隣接する支柱１２の上端間に桟１３を架設し固定する（図１１、図１４及び図１５）。これにより４本の支柱１２の上端に正方形の枠状の４本の桟１３が固定される（図２、図３及び図１１）。なお、これらの桟１３の第２桟用Ｔ溝１３ｂには架設前に２本ずつ六角ボルト２８の頭部を挿入しておく。このように支柱１２と桟１３、及び桟１３と桟１３を骨組用連結具２９により離脱可能に連結することにより、支柱１２や桟１３を比較的容易に連結できるとともに、堅牢な骨格１４を構築できる。
【００３４】
次にドア用開口部１４ａ及び背面下部の開口部１４ｂを除く骨格１４周面の開口部１４ｂに、導電性フレーム３２を骨格１４の内側から取付けて、これらの開口部１４ａ，１４ｂを網１７ｂ付きの導電性フレーム３２により塞ぐ。このとき導電性フレーム３２は第２支柱用Ｔ溝１２ｂ及び第２桟用Ｔ溝１３ｂに頭部が挿入された六角ボルト２８とこれらに螺合される六角ナット３１により固定される。また骨格１４上面の開口部１４ｃに、導電性フレーム３２を骨格１４の内側から取付けて、この開口部１４ｃを網１８ｂ付きの導電性フレーム３２により塞ぐ。このとき導電性フレーム３２は第２支柱用Ｔ溝１２ｂ及び第２桟用Ｔ溝１３ｂに頭部が挿入された六角ボルト２８とこれらに螺合される六角ナット３１により固定される。また上記骨格１４の背面下部の開口部１４ｂに、フィルタケース３３ａ付きの導電性板３３を骨格１４内側から取付ける。この結果、ボックス１０の設置場所がコンピュータ室の壁や天井に接近した状態であっても容易にボックス１０を設置できる。更にドア用開口部１４ａを形成する一方の支柱１２にヒンジ３４を介してドア１６を取付ける。このような比較的簡単な作業で電磁波シールドボックス１０を組立てることができる。
【００３５】
このように製造された電磁波シールドボックス１０では、壁用網１７ｂやドア用網１６ｂを通して四方からボックス１０内のサーバコンピュータ１９の様子を視認できる。またサーバコンピュータ１９の発熱量が多くても、この熱は通気性の極めて良好な天井用網１８ｂ、壁用網１７ｂ及びドア用網１６ｂを通して放散できるとともに、ダクト２６からボックス１０内に導入された冷却エアによりボックス１０内を冷却できるので、サーバコンピュータ１９の過熱を防止できる。また各壁用フレーム１７ａを２つの網付き導電性フレーム３２により構成し、天井用フレーム１８ａを単一の網付き導電性フレーム３２により構成したので、フレームの種類を低減できる。この結果、部品の種類を低減できるので、部品管理を容易に行える。
【００３６】
図１６〜図１８は本発明の第２の実施の形態を示す。図１６〜図１８において図４及び図５と同一符号は同一部品を示す。
この実施の形態では、導電性フレーム３２が、この導電性フレーム３２の第１凹溝３２ｂのうちフレーム用連結具３２ｃの挿着部分以外に挿着されるフラットバー４１を更に備える。また壁用網４７ｂ及び天井用網４８ｂは第１の実施の形態の壁用網及び天井用網より太くかつ柔軟性に乏しい導電性線材を用いて形成される。上記以外は第１の実施の形態と同一に構成される。
【００３７】
このように構成された電磁波シールドボックスでは、第１凹溝３２ｂに壁用網４７ｂ及び天井用網４８ｂの周縁を挿入し、この状態でフレーム用連結具３２ｃ及びフラットバー４１を上記第１凹溝３２ｂに挿着して皿ねじ３２ｆにて固定することにより、壁部材４７及び天井部材４８を作製する。この結果、壁用網４７ｂ及び天井用網４８ｂが太くかつ柔軟性に乏しい導電性線材を用いて形成されていても、壁用網４７ｂ及び天井用網４８ｂを導電性フレーム３２に確実にかつ比較的容易に固定できる。上記以外の動作は第１の実施の形態の動作と略同様であるので、繰返しの説明を省略する。
【００３８】
図１９は本発明の第３の実施の形態を示す。図１９において図１と同一符号は同一部品を示す。
この実施の形態では、導電性フレーム３２を支柱５２及び桟に取付けるための締結具として、六角ボルト及び六角ナットではなく、タッピングスクリュー５３が用いられる。この場合、支柱５２には、第２支柱用Ｔ溝ではなく、上記タッピングスクリュー５３の呼び径より細い支柱用下孔５２ｂが形成され、桟には、第２桟用Ｔ溝ではなく、上記タッピングスクリューの呼び径より細い桟用下孔が形成される。上記以外は第１の実施の形態と同一に構成される。
【００３９】
このように構成された電磁波シールドボックス５０では、タッピングスクリュー５３を導電性フレーム３２を介して支柱用下孔５２ｂ及び桟用下孔に雌ねじを切りながらねじ込むだけで、導電性フレーム３２を支柱５２及び桟に取付けることができるので、第１の実施の形態より導電性フレーム３２の組付作業性を向上できる。上記以外の動作は第１の実施の形態の動作と略同様であるので、繰返しの説明を省略する。
【００４０】
図２０は本発明の第４の実施の形態を示す。図２０において図１９と同一符号は同一部品を示す。
この実施の形態では、ドア用フレーム６７が、導電性部材によりドア用開口部１４ａに相応する形状に形成されたドア用枠体６８と、導電性帯板材により枠状に形成されドア用枠体６８に取外し可能に取付けられる複数の導電性フレーム３２とからなる。ドア用枠体６８はアルミ合金の押出し成形又は引抜き成形により支柱５２や桟より細い四角筒状に形成される。またドア用枠体６８は、支柱５２と略同一の長さを有する２本の鉛直筒体６８ａと、桟と略同一の長さを有する２本の水平筒体（図示せず）と、鉛直筒体６８ａと水平筒体を連結するＬ字状の筒体用連結具（図示せず）とを有する。鉛直筒体６８ａの断面形状と水平筒体の断面形状は同一に形成され、筒体用連結具は骨格用連結具と同形同大に形成される。
【００４１】
鉛直筒体６８ａは四角筒の１つのコーナを略Ｖ字状にカットした形状に形成される。このコーナを形成する一対の面のうちカットされずに残った一方の連結具取付面６８ｂには、鉛直筒体６８ａの長手方向に延びる鉛直筒体用Ｔ溝６８ｃが形成される。また略Ｗ字状にカットされた面であって上記鉛直筒体用Ｔ溝６８ｃが形成された面に隣接するフレーム取付面６８ｄには、所定の間隔をあけて鉛直筒体用下孔６８ｅが形成される。水平筒体は、図示しないが上記鉛直筒体６８ａと同様に、四角筒の１つのコーナを略Ｖ字状にカットした形状であって連結具取付面及びフレーム取付面を有する形状に形成され、鉛直筒体用Ｔ溝６８ｃと同一形状の水平筒体用Ｔ溝が連結具取付面に形成され、鉛直筒体用下孔６８ｅと同一形状の水平筒体用下孔がフレーム取付面に形成される。
【００４２】
鉛直筒体用Ｔ溝６８ｃ及び水平筒体用Ｔ溝には呼び径の比較的大きな六角ナット（図示せず）が摺動可能に挿入され、鉛直筒体用下孔６８ｅ及び水平筒体用下孔にはタッピングスクリュー６９をねじ込み可能に構成される。鉛直筒体６８ａと水平筒体は、鉛直筒体用Ｔ溝６８ｃと、水平筒体用Ｔ溝と、略Ｌ字状の筒体用連結具と、鉛直筒体用Ｔ溝６８ｃ及び水平筒体用Ｔ溝に摺動可能に挿入される呼び径の比較的大きな六角ナットと、このナットに螺合される六角穴付ボルトとを用いて離脱可能に互いに連結される。ドア用枠体６８の一方の鉛直筒体６８ａはドア用開口部１４ａを形成する一方の支柱５２にヒンジ７２を介して枢着され、ドア用枠体６８の他方の鉛直筒体６８ａはドア用開口部１４ａを形成する他方の支柱１２に離脱可能に当接する。
【００４３】
導電性フレーム３２は第１の実施の形態の導電性フレームと同形同大に形成され、この実施の形態では２つの導電性フレーム３２がドア用枠体６８に取外し可能に取付けられる。またドア用網６６ａは上記２つの導電性フレーム３２に第１の実施の形態と同様にしてそれぞれ固定される。なお、図２０の符号７１はヒンジ７２を支柱５２及び鉛直筒体６８ａに取付けるためのタッピングスクリューであり、符号７３はドア６６を閉じたときにドア用枠体６８を支柱５２及び桟に密着させるための可撓性を有する導電性パッキングである。上記以外は第３の実施の形態と同一に構成される。
【００４４】
このように構成された電磁波シールドボックス６０では、壁部材１７及び天井部材１８の構成部品の一部として用いた導電性フレーム３２をドア６６の構成部品の一部として用いることができるため、鉛直筒体６８ａ及び水平筒体という部品は増えるけれども、その他のドア６６関連部品の共通化を図ることができる。この結果、部品の種類を低減できるので、部品管理を容易に行える。上記以外の動作は第３の実施の形態の動作と略同様であるので、繰返しの説明を省略する。
【００４５】
図２１〜図２３は本発明の第５の実施の形態を示す。図２１〜図２３において図２、図３及び図１９と同一符号は同一部品を示す。
この実施の形態では、支柱８１が、第１の実施の形態の支柱と同形同大に形成された４本のコーナ柱部８２と、これらのコーナ支柱８２間に所定の間隔をあけて立設された１０本中間柱部８３とを有し、桟８６が、第１の実施の形態の桟と同形同大の上下１４本ずつ合計２８本の周縁桟部８７と、周縁桟部８７の約２倍の長さを有し相対向する４本ずつの中間柱部８３の上端に架設された４本の中間桟部８８とを有する。コーナ柱部８２、周縁桟部８７及び中間桟部８８の断面形状は同一に形成される。また中間柱部８３は、骨格用連結具を取付けるための互いに平行な一対の連結具取付面８３ａ，８３ａと、これらの連結具取付面８３ａ，８３ａに中間柱部８３の長手方向に延びて形成された一対の中間柱用Ｔ溝８３ｂ，８３ｂと、一対の連結具取付面８３ａ，８３ａに隣接して設けられかつ導電性フレーム３２の外周縁を収容するための略Ｖ字状の一対の凹部８３ｃ，８３ｃと、これらの凹部８３ｃ，８３ｃの一方の面に中間柱部８３の長手方向に所定の間隔をあけて形成された中間柱用下孔８３ｄとを有する。
【００４６】
更にボックス８０の前面には、５枚のドア１６が所定の隙間をあけて並んだ状態でかつヒンジ３４を介して開閉可能に取付けられる。ここで隣接するドアの間に所定の隙間を設けたのは、ドアの開閉を容易にするためであり、図２３に示す導電性パッキン３７は電磁波のシールド効果を向上させるとともにドア１６開閉時の緩衝材としての機能を有する。上記以外は第１又は第３の実施の形態と同一に構成される。
【００４７】
このように構成された電磁波シールドボックス８０では、コーナ柱部８２と断面形状が異なる中間柱部８３と、コーナ柱部８２と断面形状が同一の中間桟部８８という僅かな種類の部品の増加で、第１の実施の形態のボックスより約１０倍の容積を有する大きなボックス８０を作製できる。この結果、収容機器であるサーバコンピュータが大型化しても、コーナ柱部８２や周縁桟部８７の形状を変える必要がないので、僅かな部品の種類の増大で電磁波をシールドする機能を確実に発揮できる。上記以外の動作は第１又は第３の実施の形態の動作と略同様であるので、繰返しの説明を省略する。
【００４８】
【発明の効果】
以上述べたように、本発明によれば、ドアが導電性ドア用フレームと導電性ドア用網とを有し、壁部材が導電性壁用フレームと導電性壁用網とを有し、天井部材が導電性天井用フレームと導電性天井用網とを有するので、壁用網やドア用網を通して少なくとも三方からボックス内の収容機器の様子を視認できるとともに、収容機器の発熱量が多くても、その熱を通気性の極めて良好な天井用網、壁用網及びドア用網を通して放散できる。また支柱や桟を組んで形成された骨格に壁部材等を取付けるため、支柱の間隔を一定に保つことにより、収容機器の形状や大きさが変わっても、支柱や桟の形状を殆ど変えずに支柱や桟の本数を増減するだけで、即ち部品の種類を殆ど増大させずに部品の数量を増減するだけで、電磁波をシールドする機能を確実に発揮できる。
【００４９】
また壁用フレーム及び天井用フレームを同形同大の単一又は複数の導電性フレームにより構成し、各導電性フレームに網を固定すれば、フレームの種類を低減できる、即ち部品の種類を低減できるので、部品管理を容易に行える。
またドア用フレームのドア用枠体をドア用開口部の一方の支柱に枢着しかつ他方の支柱に離脱可能に当接させ、ドア用枠体に複数の導電性フレームを取外し可能に取付け、導電性フレームにドア用網を固定すれば、フレームの種類を更に低減できる、即ち部品の種類を更に低減できるので、部品管理を更に容易に行える。
【００５０】
また壁用フレーム及び天井用フレームを骨格の内側から支柱及び桟に取外し可能に取付ければ、骨格周面の開口部のうちドア用開口部をボックス内からドアにより塞ぎ、骨格周面の開口部のうちドア用開口部以外の開口部をボックス内から壁部材により塞ぎ、骨格上面の開口部をボックス内から天井部材により塞ぐことができるので、ボックスの設置場所が部屋の壁や天井に接近した状態であっても容易に設置できる。
また導電性フレームの台形状の帯板部材の第１凹溝にフレーム用連結具の一片を挿入し他片を上記帯板部材に隣接する帯板部材の第１凹溝に挿入すれば、帯板部材が四角枠状に連結されるので、導電性フレームの見栄えを損なわずに比較的容易に組立てることができる。
【００５１】
また導電性フレームの第２凹溝に網の周縁を挿入し更に紐状の弾性部材を挿着すれば、比較的細くかつ柔軟性を有する導電性線材を用いた網であっても、この網を導電性フレームに確実にかつ極めて容易に固定できる。
また第１凹溝に網の周縁を挿入した状態で第１凹溝にフレーム用連結具及びフラットバーを挿着すれば、導電性フレームに網が固定される比較的太くかつ柔軟性に乏しい導電性線材を用いた網であっても、この網を導電性フレームに確実にかつ比較的容易に固定できる。
【００５２】
また支柱と桟、及び桟と桟を骨組用連結具により離脱可能に連結すれば、支柱や桟を比較的容易に連結できるとともに、堅牢な骨格を構築できる。
更にベース板、天井部材又は壁部材に冷却エアを流すための通孔を形成し、通孔にこの通孔に相応する形状の金属製多孔部材を挿入し、ベース板等の通孔周縁下面と金属製多孔部材の周縁下面とを導電性シートにより電気的に接続すれば、ボックス内に冷却エアを速やかに導入できるとともに、比較的簡単な構造でベース板及び金属製多孔部材の電気的接続を確保できる。
【図面の簡単な説明】
【図１】本発明第１実施形態の電磁波シールドボックスを示す図２のＡ−Ａ線断面図。
【図２】その電磁波シールドボックスを前方から見た斜視図。
【図３】その電磁波シールドボックスを後方から見た斜視図。
【図４】その壁用部材及び天井用部材を構成する網付き導電性フレームの正面図。
【図５】図４のＢ−Ｂ線断面図。
【図６】その網付き導電性フレームの組立手順を示す要部斜視図。
【図７】その電磁波シールドボックスとこのボックスを設置する部屋の要部縦断面図。
【図８】図７のＣ部拡大断面図。
【図９】その電磁波シールドボックス下部の斜視図。
【図１０】支柱及び桟により構成された骨格の下部コーナ部。
【図１１】支柱及び桟により構成された骨格の上部コーナ部。
【図１２】図１０のＤ−Ｄ線断面図。
【図１３】図１０のＥ−Ｅ線断面図。
【図１４】図１１のＦ−Ｆ線断面図。
【図１５】図１１のＧ−Ｇ線断面図。
【図１６】本発明第２実施形態を示す図４に対応する正面図。
【図１７】図１６のＨ−Ｈ線断面図。
【図１８】図１６のＩ−Ｉ線断面図。
【図１９】本発明第３実施形態を示す図１に対応する断面図。
【図２０】本発明第４実施形態を示す図１に対応する断面図。
【図２１】本発明第５実施形態を示す図２に対応する断面図。
【図２２】図２１のＪ−Ｊ線断面図。
【図２３】図２１のＫ−Ｋ線断面図。
【符号の説明】
１０，５０，６０，８０  電磁波シールドボックス
１１  ベース板
１１ａ  通孔
１２，５２，８１  支柱
１３，８６  桟
１４  骨格
１４ａ  ドア用開口部
１４ｂ  周面開口部
１４ｃ  上面開口部
１６，６６  ドア
１６ａ，６７  ドア用フレーム
１６ｂ，６６ａ  ドア用網
１７，４７  壁部材
１７ａ  壁用フレーム
１７ｂ，４７ｂ  壁用網
１８，４８  天井部材
１８ａ  天井用フレーム
１８ｂ，４８ｂ  天井用網
２２  パンチングメタル（金属製多孔部材）
２４  導電性シート
２９  骨格用連結具
３２  導電性フレーム
３２ａ  帯板部材
３２ｂ  第１凹溝
３２ｃ  フレーム用連結具
３２ｄ  第２凹溝
３２ｅ  弾性部材
４１  フラットバー
【図１】
2004335818.tif 000003
【図２】
2004335818.tif 000004
【図３】
2004335818.tif 000005
【図４】
2004335818.tif 000006
【図５】
2004335818.tif 000007
【図６】
2004335818.tif 000008
【図７】
2004335818.tif 000009
【図８】
2004335818.tif 000010
【図９】
2004335818.tif 000011
【図１０】
2004335818.tif 000012
【図１１】
2004335818.tif 000013
【図１２】
2004335818.tif 000014
【図１３】
2004335818.tif 000015
【図１４】
2004335818.tif 000016
【図１５】
2004335818.tif 000017
【図１６】
2004335818.tif 000018
【図１７】
2004335818.tif 000019
【図１８】
2004335818.tif 000020
【図１９】
2004335818.tif 000021
【図２０】
2004335818.tif 000022
【図２１】
2004335818.tif 000023
【図２２】
2004335818.tif 000024
【図２３】
2004335818.tif 000025
【手続補正書】
【提出日】平成15年11月21日(2003.11.21)
【手続補正１】
【補正対象書類名】明細書
【補正対象項目名】特許請求の範囲
【補正方法】変更
【補正の内容】
【特許請求の範囲】
【請求項１】
導電性を有するベース板(11)の上に立設された導電性を有する３本以上の支柱(12)と、導電性を有し前記支柱(12)間に架設されかつ前記支柱(12)とともに骨格(14)を構成する３本以上の桟(13)と、導電性を有し前記骨格(14)周面の開口部のうちドア用開口部(14a)を開放可能に塞ぐドア(16)と、導電性を有し前記ドア用開口部(14a)を除く前記骨格(14)の周面の開口部(14b)を塞ぐ壁部材(17)と、導電性を有し前記骨格(14)の上面の開口部(14c)を塞ぐ天井部材(18)とを備えた電磁波シールドボックスにおいて、
前記ドア(16)が、導電性部材により枠状に形成されたドア用フレーム(16a)と、導電性線材により形成され周縁が前記ドア用フレーム(16a)に固定されたドア用網(16b)とを有し、
前記壁部材(17)が、導電性帯板材により枠状に形成された壁用フレーム(17a)と、導電性線材により形成され周縁が前記壁用フレーム(17a)に固定された壁用網(17b)とを有し、
前記天井部材(18)が、導電性帯板材により枠状に形成された天井用フレーム(18a)と、導電性線材により形成され周縁が前記天井用フレーム(18a)に固定された天井用網(18b)とを有し、
前記壁用フレーム(17)及び前記天井用フレーム(18)が前記骨格(14)の内側から前記支柱(12)及び前記桟(13)に取外し可能に取付けられた
ことを特徴とする電磁波シールドボックス。
【請求項２】
壁用フレーム(17a)及び天井用フレーム(18a)が同形同大の単一又は複数の導電性フレーム(32)により構成され、各導電性フレーム(32)に網(17b,18b)が固定された請求項１記載の電磁波シールドボックス。
【請求項３】
ドア用フレーム(66)が、導電性部材によりドア用開口部(14a)に相応する形状に形成され前記ドア用開口部(14a)を形成する一方の支柱(52)に枢着されかつ他方の支柱(52)に離脱可能に当接するドア用枠体(67)と、導電性帯板材により枠状に形成され前記ドア用枠体(67)に取外し可能に取付けられる複数の導電性フレーム(32)とからなり、
前記導電性フレーム(32)にドア用網(66a)が固定された請求項１記載の電磁波シールドボックス。
【請求項４】
導電性フレーム(32)が、長手方向に延びる第１凹溝(32b)を有し両端が斜め４５度にカットされた４本の台形状の帯板部材(32a)と、一片が前記帯板部材(32a)の一端の第１凹溝(32b)に挿入され他片が前記帯板部材(32a)に隣接する帯板部材(32a)の第１凹溝(32b)に挿入されてこれらの帯板部材(32a)を四角枠状に連結するＬ字状のフレーム用連結具(32c)とを備えた請求項２又は３記載の電磁波シールドボックス。
【請求項５】
導電性フレーム(32)の長手方向に沿ってリング状の第２凹溝(32d)が形成され、この第２凹溝(32d)に網(17b,18b)の周縁を挿入し更に紐状の弾性部材(32e)を挿着することにより、前記導電性フレーム(32)に網(17b,18b)が固定された請求項４記載の電磁波シールドボックス。
【請求項６】
導電性フレーム(32)の第１凹溝(32b)のうちフレーム用連結具(32c)の挿着部分以外に挿着されるフラットバー(41)を更に備え、前記第１凹溝(32b)に網(47b,48b)の周縁を挿入し更に前記フレーム用連結具(32c)及び前記フラットバー(41)を挿着することにより、前記導電性フレーム(32)に網(47b,48b)が固定された請求項４記載の電磁波シールドボックス。
【請求項７】
支柱(12)と桟(13)、及び桟(13)と桟(13)が骨組用連結具(29)により離脱可能に連結された請求項１記載の電磁波シールドボックス。
【請求項８】
ベース板(11)、天井部材又は壁部材に、冷却エアを流すための通孔(11a)が形成され、前記通孔(11a)にこの通孔に相応する形状の金属製多孔部材(22)が挿入され、前記ベース板(11)、天井部材又は壁部材の通孔(11a)周縁下面と前記金属製多孔部材(22)の周縁下面とが導電性シート(24)により電気的に接続された請求項１記載の電磁波シールドボックス。
【請求項９】
金属製多孔部材(22)がパンチングメタル又は金属製ハニカム構造体である請求項８記載の電磁波シールドボックス。
【手続補正２】
【補正対象書類名】明細書
【補正対象項目名】０００７
【補正方法】変更
【補正の内容】
【０００７】
【課題を解決するための手段】
請求項１に係る発明は、図１、図２及び図７に示すように、導電性を有するベース板１１の上に立設された導電性を有する３本以上の支柱１２と、導電性を有し上記支柱１２間に架設されかつ上記支柱１２とともに骨格を構成する３本以上の桟１３と、導電性を有し骨格１４周面の開口部のうちドア用開口部１４ａを開放可能に塞ぐドア１６と、導電性を有しドア用開口部１４ａを除く骨格１４の周面の開口部１４ｂを塞ぐ壁部材１７と、導電性を有し骨格１４の上面の開口部１４ｃを塞ぐ天井部材１８とを備えた電磁波シールドボックスの改良である。
その特徴ある構成は、ドア１６が、導電性部材により枠状に形成されたドア用フレーム１６ａと、導電性線材により形成され周縁がドア用フレーム１６ａに固定されたドア用網１６ｂとを有し、壁部材１７が、導電性帯板材により枠状に形成された壁用フレーム１７ａと、導電性線材により形成され周縁が壁用フレーム１７ａに固定された壁用網１７ｂとを有し、天井部材１８が、導電性帯板材により枠状に形成された天井用フレーム１８ａと、導電性線材により形成され周縁が天井用フレーム１８ａに固定された天井用網１８ｂとを有し、
前記壁用フレーム(17)及び前記天井用フレーム(18)が前記骨格(14)の内側から前記支柱(12)及び前記桟(13)に取外し可能に取付けられたところにある。


【手続補正３】
【補正対象書類名】明細書
【補正対象項目名】０００８
【補正方法】変更
【補正の内容】
【０００８】
この請求項１に記載された電磁波シールドボックスでは、壁用網１７ｂやドア用網１６ｂを通して少なくとも三方からボックス１０内の収容機器１９の様子を視認できるとともに、収容機器１９の発熱量が多くても、その熱を通気性の極めて良好な天井用網１８ｂ、壁用網１７ｂ及びドア用網１６ｂを通して放散できる。また支柱１２や桟１３を組んで形成された骨格１４に壁部材１７等を取付けるため、支柱１２の間隔を一定に保つことにより、収容機器１９の形状や大きさが変わっても、支柱１２や桟１３の形状を殆ど変えずに支柱１２や桟１３の本数を増減するだけで、即ち部品の種類を殆ど増大させずに部品の数量を増減するだけで、電磁波をシールドする機能を確実に発揮できる。更に骨格１４周面の開口部のうちドア用開口部１４ａをボックス１０内からドア１６により塞ぎ、骨格１４周面の開口部のうちドア用開口部１４ａ以外の開口部１４ｂをボックス１０内から壁部材１７により塞ぎ、骨格１４上面の開口部１４ｃをボックス１０内から天井部材１８により塞ぐので、ボックス１０の設置場所が部屋の壁や天井に接近した状態であっても容易に設置できる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
請求項４に係る発明は、請求項２又は３に係る発明であって、更に図４〜図６に示すように、導電性フレーム３２が、長手方向に延びる第１凹溝３２ｂを有し両端が斜め４５度にカットされた４本の台形状の帯板部材３２ａと、一片が帯板部材３２ａの一端の第１凹溝３２ｂに挿入され他片が上記帯板部材３２ａに隣接する帯板部材３２ａの第１凹溝３２ｂに挿入されてこれらの帯板部材３２ａを四角枠状に連結するＬ字状のフレーム用連結具３２ｃとを備えたことを特徴とする。
この請求項４に記載された電磁波シールドボックスでは、導電性フレーム３２の見栄えを損なわずに導電性フレーム３２を比較的容易に組立てることができる。


【手続補正６】
【補正対象書類名】明細書
【補正対象項目名】００１３
【補正方法】変更
【補正の内容】
【００１３】
請求項５に係る発明は、請求項４に係る発明であって、更に図４〜図６に示すように、導電性フレーム３２の長手方向に沿ってリング状の第２凹溝３２ｄが形成され、この第２凹溝３２ｄに網１７ｂ，１８ｂの周縁を挿入し更に紐状の弾性部材３２ｅを挿着することにより、導電性フレーム３２に網１７ｂ，１８ｂが固定されたことを特徴とする。
この請求項５に記載された電磁波シールドボックスでは、比較的細くかつ柔軟性を有する導電性線材を用いた網１７ｂ，１８ｂであっても、この網１７ｂ，１８ｂを導電性フレーム３２に確実にかつ極めて容易に固定できる。


【手続補正７】
【補正対象書類名】明細書
【補正対象項目名】００１４
【補正方法】変更
【補正の内容】
【００１４】
請求項６に係る発明は、請求項４に係る発明であって、更に図１６〜図１８に示すように、導電性フレーム３２の第１凹溝３２ｂのうちフレーム用連結具３２ｃの挿着部分以外に挿着されるフラットバー４１を更に備え、第１凹溝３２ｂに網４７ｂ，４８ｂの周縁を挿入し更にフレーム用連結具３２ｃ及びフラットバー４１を挿着することにより、導電性フレーム３２に網４７ｂ，４８ｂが固定されたことを特徴とする。
この請求項６に記載された電磁波シールドボックスでは、比較的太くかつ柔軟性に乏しい導電性線材を用いた網４７ｂ，４８ｂであっても、この網４７ｂ，４８ｂを導電性フレーム３２に確実にかつ比較的容易に固定できる。


【手続補正８】
【補正対象書類名】明細書
【補正対象項目名】００１５
【補正方法】変更
【補正の内容】
【００１５】
請求項７に係る発明は、請求項１に係る発明であって、更に図１０〜図１５に示すように、支柱１２と桟１３、及び桟１３と桟１３が骨組用連結具２９により離脱可能に連結されたことを特徴とする。
この請求項７に記載された電磁波シールドボックスでは、支柱１２や桟１３を比較的容易に連結できるとともに、堅牢な骨格１４を構築できる。


【手続補正９】
【補正対象書類名】明細書
【補正対象項目名】００１６
【補正方法】変更
【補正の内容】
【００１６】
請求項８に係る発明は、請求項１に係る発明であって、更に図７〜図９に示すように、ベース板１１、天井板又は壁部材に、冷却エアを流すための通孔１１ａが形成され、通孔１１ａにこの通孔に相応する形状の金属製多孔部材２２が挿入され、ベース板１１、天井板又は壁部材の通孔１１ａ周縁下面と金属製多孔部材２２の周縁下面とが導電性シート２４により電気的に接続されたことを特徴とする。
この請求項８に記載された電磁波シールドボックスでは、ボックス１０内に冷却エアを速やかに導入できるとともに、比較的簡単な構造でベース板１１、天井板又は壁部材と金属製多孔部材２２を電気的に接続できる。
また上記金属製多孔部材２２はパンチングメタル又は金属製ハニカム構造体であることが好ましい。


【手続補正１０】
【補正対象書類名】明細書
【補正対象項目名】００４８
【補正方法】変更
【補正の内容】
【００４８】
【発明の効果】
以上述べたように、本発明によれば、ドアが導電性ドア用フレームと導電性ドア用網とを有し、壁部材が導電性壁用フレームと導電性壁用網とを有し、天井部材が導電性天井用フレームと導電性天井用網とを有するので、壁用網やドア用網を通して少なくとも三方からボックス内の収容機器の様子を視認できるとともに、収容機器の発熱量が多くても、その熱を通気性の極めて良好な天井用網、壁用網及びドア用網を通して放散できる。また支柱や桟を組んで形成された骨格に壁部材等を取付けるため、支柱の間隔を一定に保つことにより、収容機器の形状や大きさが変わっても、支柱や桟の形状を殆ど変えずに支柱や桟の本数を増減するだけで、即ち部品の種類を殆ど増大させずに部品の数量を増減するだけで、電磁波をシールドする機能を確実に発揮できる。
また壁用フレーム及び天井用フレームを骨格の内側から支柱及び桟に取外し可能に取付ければ、骨格周面の開口部のうちドア用開口部をボックス内からドアにより塞ぎ、骨格周面の開口部のうちドア用開口部以外の開口部をボックス内から壁部材により塞ぎ、骨格上面の開口部をボックス内から天井部材により塞ぐことができるので、ボックスの設置場所が部屋の壁や天井に接近した状態であっても容易に設置できる。
【手続補正１１】
【補正対象書類名】明細書
【補正対象項目名】００５０
【補正方法】変更
【補正の内容】
【００５０】
また導電性フレームの台形状の帯板部材の第１凹溝にフレーム用連結具の一片を挿入し他片を上記帯板部材に隣接する帯板部材の第１凹溝に挿入すれば、帯板部材が四角枠状に連結されるので、導電性フレームの見栄えを損なわずに比較的容易に組立てることができる。




【手続補正書】
【提出日】平成16年3月3日(2004.3.3)
【手続補正１】
【補正対象書類名】明細書
【補正対象項目名】特許請求の範囲
【補正方法】変更
【補正の内容】
【特許請求の範囲】
【請求項１】
導電性を有するベース板(11)の上に立設された導電性を有する３本以上の支柱(12)と、導電性を有し前記支柱(12)間に架設されかつ前記支柱(12)とともに骨格(14)を構成する３本以上の桟(13)と、導電性を有し前記骨格(14)周面の開口部のうちドア用開口部(14a)を開放可能に塞ぐドア(16)と、導電性を有し前記ドア用開口部(14a)を除く前記骨格(14)の周面の開口部(14b)を塞ぐ壁部材(17)と、導電性を有し前記骨格(14)の上面の開口部(14c)を塞ぐ天井部材(18)とを備えた電磁波シールドボックスにおいて、
前記支柱(12)を四角筒の１つのコーナ部を断面略Ｗ字状にカットした形状に形成することにより一対のフレーム取付面(12d,12d)が形成され、
前記桟(13)を四角筒の１つのコーナ部を断面略Ｗ字状にカットした形状に形成することにより一対のフレーム取付面(13d,13d)が形成され、
前記ドア(16)が、導電性部材により枠状に形成されたドア用フレーム(16a)と、導電性線材により形成され周縁が前記ドア用フレーム(16a)に固定されたドア用網(16b)とを有し、
前記壁部材(17)が、導電性帯板材により枠状に形成された壁用フレーム(17a)と、導電性線材により形成され周縁が前記壁用フレーム(17a)に固定された壁用網(17b)とを有し、
前記天井部材(18)が、導電性帯板材により枠状に形成された天井用フレーム(18a)と、導電性線材により形成され周縁が前記天井用フレーム(18a)に固定された天井用網(18b)とを有し、
前記壁用網(17b)の固定された前記壁用フレーム(17)及び前記天井用網(18b)の固定された前記天井用フレーム(18)が前記骨格(14)の内側から前記支柱(12)のフレーム取付面(12d)及び前記桟(13)のフレーム取付面(13d)に取外し可能に取付けられた
ことを特徴とする電磁波シールドボックス。
【請求項２】
壁用フレーム(17a)及び天井用フレーム(18a)が同形同大の単一又は複数の導電性フレーム(32)により構成され、各導電性フレーム(32)に網(17b,18b)が固定された請求項１記載の電磁波シールドボックス。
【請求項３】
ドア用フレーム(66)が、導電性部材によりドア用開口部(14a)に相応する形状に形成され前記ドア用開口部(14a)を形成する一方の支柱(52)に枢着されかつ他方の支柱(52)に離脱可能に当接するドア用枠体(67)と、導電性帯板材により枠状に形成され前記ドア用枠体(67)に取外し可能に取付けられる複数の導電性フレーム(32)とからなり、
前記導電性フレーム(32)にドア用網(66a)が固定された請求項１記載の電磁波シールドボックス。
【請求項４】
導電性フレーム(32)が、長手方向に延びる第１凹溝(32b)を有し両端が斜め４５度にカットされた４本の台形状の帯板部材(32a)と、一片が前記帯板部材(32a)の一端の第１凹溝(32b)に挿入され他片が前記帯板部材(32a)に隣接する帯板部材(32a)の第１凹溝(32b)に挿入されてこれらの帯板部材(32a)を四角枠状に連結するＬ字状のフレーム用連結具(32c)とを備えた請求項２又は３記載の電磁波シールドボックス。
【請求項５】
導電性フレーム(32)の長手方向に沿ってリング状の第２凹溝(32d)が形成され、この第２凹溝(32d)に網(17b,18b)の周縁を挿入し更に紐状の弾性部材(32e)を挿着することにより、前記導電性フレーム(32)に網(17b,18b)が固定された請求項４記載の電磁波シールドボックス。
【請求項６】
導電性フレーム(32)の第１凹溝(32b)のうちフレーム用連結具(32c)の挿着部分以外に挿着されるフラットバー(41)を更に備え、前記第１凹溝(32b)に網(47b,48b)の周縁を挿入し更に前記フレーム用連結具(32c)及び前記フラットバー(41)を挿着することにより、前記導電性フレーム(32)に網(47b,48b)が固定された請求項４記載の電磁波シールドボックス。
【請求項７】
支柱(12)と桟(13)、及び桟(13)と桟(13)が骨組用連結具(29)により離脱可能に連結された請求項１記載の電磁波シールドボックス。
【請求項８】
ベース板(11)、天井部材又は壁部材に、冷却エアを流すための通孔(11a)が形成され、前記通孔(11a)にこの通孔に相応する形状の金属製多孔部材(22)が挿入され、前記ベース板(11)、天井部材又は壁部材の通孔(11a)周縁下面と前記金属製多孔部材(22)の周縁下面とが導電性シート(24)により電気的に接続された請求項１記載の電磁波シールドボックス。
【請求項９】
金属製多孔部材(22)がパンチングメタル又は金属製ハニカム構造体である請求項８記載の電磁波シールドボックス。
【手続補正２】
【補正対象書類名】明細書
【補正対象項目名】０００７
【補正方法】変更
【補正の内容】
【０００７】
【課題を解決するための手段】
請求項１に係る発明は、図１、図２及び図７に示すように、導電性を有するベース板１１の上に立設された導電性を有する３本以上の支柱１２と、導電性を有し上記支柱１２間に架設されかつ上記支柱１２とともに骨格を構成する３本以上の桟１３と、導電性を有し骨格１４周面の開口部のうちドア用開口部１４ａを開放可能に塞ぐドア１６と、導電性を有しドア用開口部１４ａを除く骨格１４の周面の開口部１４ｂを塞ぐ壁部材１７と、導電性を有し骨格１４の上面の開口部１４ｃを塞ぐ天井部材１８とを備えた電磁波シールドボックスの改良である。
その特徴ある構成は、支柱１２を四角筒の１つのコーナ部を断面略Ｗ字状にカットした形状に形成することにより一対のフレーム取付面１２ｄ，１２ｄが形成され、桟１３を四角筒の１つのコーナ部を断面略Ｗ字状にカットした形状に形成することにより一対のフレーム取付面１３ｄ，１３ｄが形成され、ドア１６が、導電性部材により枠状に形成されたドア用フレーム１６ａと、導電性線材により形成され周縁がドア用フレーム１６ａに固定されたドア用網１６ｂとを有し、壁部材１７が、導電性帯板材により枠状に形成された壁用フレーム１７ａと、導電性線材により形成され周縁が壁用フレーム１７ａに固定された壁用網１７ｂとを有し、天井部材１８が、導電性帯板材により枠状に形成された天井用フレーム１８ａと、導電性線材により形成され周縁が天井用フレーム１８ａに固定された天井用網１８ｂとを有し、壁用網１７ｂの固定された壁用フレーム１７及び天井用網１８ｂの固定された天井用フレーム１８が骨格１４の内側から支柱１２のフレーム取付面１２ｄ及び桟１３のフレーム取付面１３ｄに取外し可能に取付けられたところにある。